(57)【特許請求の範囲】
【請求項１】
ゴム状弾性支承体（２）に予備剪断変形を与えた状態で、ゴム状弾性支承体（２）の下部プレート（３）に固定されたサイドブロック（４）の側面と、この側面に相対向し、かつゴム状弾性支承体（２）の上部プレート（５）に形成された凹部の側面（５ａ）との間に介在させる仮固定ブロック（１）であって、前記仮固定ブロック（１）は、テーパ支圧面（６ａ）を長手方向の側面に形成したライナーブロック（６）に、ネジ穴（７）を前記テーパ支圧面（６ａ）と平行に形成した連結ブロック（８）を前記ネジ穴（７）が前記テーパ支圧面（６ａ）より外側に位置するように重ねて一体的に形成して成る第１ブロック（９）と、この第１ブロック（９）のライナーブロック（６）のテーパ支圧面（６ａ）と当接するテーパ支圧面（１０ａ）を長手方向の側面に備えたライナーブロック（１０）に、ネジ穴（１１）を前記テーパ支圧面（１０ａ）と平行に形成した連結ブロック（１２）を重ねて一体的に形成して成る第２ブロック（１３）と、前記第１ブロック（９）及び第２ブロック（１３）の各テーパ支圧面（６ａ、１０ａ）及び各連結ブロック（８、１２）において前記各テーパ支圧面（６ａ、１０ａ）とそれぞれ交差する端面（８ａ、１２ａ）を当接させた状態で、ネジ穴（７、１１）を介して着脱可能に締結する締結手段（１４）とから成るゴム状弾性支承体の仮固定ブロック。
【請求項２】
請求項１に記載のゴム状弾性支承体の仮固定ブロック（１）を、予備剪断変形を与えたゴム状弾性支承体（２）のサイドブロック（４）の側面とゴム状弾性支承体（２）の上部プレート側面（５ａ）との間に介在させ、前記締結手段（１４）を第１ブロック（９）及び第２ブロック（１３）の各テーパ支圧面（６ａ、１０ａ）が互いに圧接する方向に移動させるように回転させて取付け、かつ前記締結手段（１４）を第１ブロック（９）及び第２ブロック（１３）の各テーパ支圧面（６ａ、１０ａ）が互いに離反する方向に移動させるように回転させて取外しを行うゴム状弾性支承体の仮固定ブロックの取付け、取外し方法。
【発明の詳細な説明】
【０００１】
【発明の属する技術分野】
この発明は、ゴム状弾性支承体の仮固定ブロック及びその仮固定ブロックの取付け，取外し方法に係わり、更に詳しくは予備剪断変形を与えたゴム状弾性支承体のサイドブロックの側面とゴム状弾性支承体の上部プレート側面との間に介在させる仮固定ブロックの構成と、その仮固定ブロックを容易に取付け，または取外すことが出来るゴム状弾性支承体の仮固定ブロック及びその仮固定ブロックの取付け，取外し方法に関するものである。
【０００２】
【従来の技術】
従来、橋桁等の上部構造物と橋台や橋脚等の下部支持構造物との間にゴム状弾性支承体を設置し、上部構造物からの振動エネルギーや、横揺れ，及び上部構造物の伸縮等を吸収緩和するように構成している。
しかし、ゴム状弾性支承体は、上部構造物の温度変化による伸縮、コンクリート構造物の乾燥収縮やクリープ等により構造物の長手方向に水平移動し、ゴム状弾性支承体には剪断変形が加えられて上部構造物の架設に悪影響を与えることから、従来では、予めゴム状弾性支承体に、コンクリート構造物の乾燥収縮，クリープ等の変形量に相当する量の予備剪断変形を上部構造物の変形方向と逆方向に与えておくようにした予備剪断保持装置が知られている。
【０００３】
【発明が解決しようとする課題】
ところで、従来の予備剪断保持装置としては、例えば、特開平８−２２６１０５号公報に開示されているように、ゴム支承体のサイドブロックの一側面と、この一側面に対向する上沓及び下沓の橋軸方向の一側面に設けた平板状の軸受との間に両端ねじボルトを介在させて、両端ねじボルト及びテーパーライナーにより予備剪断変形されたゴム支承体を押圧支持可能に構成したものである。
【０００４】
そして、両端ねじボルトの締め込みにより予備剪断変形されたゴム支承体の変形状態を保持し、またコンクリート構造物養生後の予備剪断保持装置の撤去作業は、テーパーライナーを引抜きボルトで引抜き、両端ねじボルトの引張力を解除した後、ナットを緩めることで予備剪断を開放するものである。
然しながら、このような従来の予備剪断保持装置は、両端ねじボルトでゴム支承体の反力を受け止める構造であるため、強度的に小さく、大反力に対応することが難しく、またねじ穴等の加工に多くの労力と時間を要し、更に現場作業を効率良く行うことが出来ないと言う問題があった。
【０００５】
この発明は、かかる従来の課題に着目して案出されたもので、仮固定ブロックの取付け，取外し作業を簡単に行うことが出来ると共に、大反力に対しても対応でき、更に簡単な構造で現場作業も容易に行うことが出来るゴム状弾性支承体の仮固定ブロック及びその仮固定ブロックの取付け，取外し方法を提供することにある。
【０００６】
【課題を解決するための手段】
上記目的を達成するため、この発明の仮固定ブロックは、ゴム状弾性支承体（２）に予備剪断変形を与えた状態で、ゴム状弾性支承体（２）の下部プレート（３）に固定されたサイドブロック（４）の側面と、この側面に相対向し、かつゴム状弾性支承体（２）の上部プレート（５）に形成された凹部の側面（５ａ）との間に介在させる仮固定ブロック（１）であって、前記仮固定ブロック（１）は、テーパ支圧面（６ａ）を長手方向の側面に形成したライナーブロック（６）に、ネジ穴（７）を前記テーパ支圧面（６ａ）と平行に形成した連結ブロック（８）を前記ネジ穴（７）が前記テーパ支圧面（６ａ）より外側に位置するように重ねて一体的に形成して成る第１ブロック（９）と、この第１ブロック（９）のライナーブロック（６）のテーパ支圧面（６ａ）と当接するテーパ支圧面（１０ａ）を長手方向の側面に備えたライナーブロック（１０）に、ネジ穴（１１）を前記テーパ支圧面（１０ａ）と平行に形成した連結ブロック（１２）を重ねて一体的に形成して成る第２ブロック（１３）と、前記第１ブロック（９）及び第２ブロック（１３）の各テーパ支圧面（６ａ、１０ａ）及び各連結ブロック（８、１２）において前記各テーパ支圧面（６ａ、１０ａ）とそれぞれ交差する端面（８ａ、１２ａ）を当接させた状態で、ネジ穴（７、１１）を介して着脱可能に締結する締結手段（１４）とから成ることを要旨とするものである。
【０００７】
また、この発明にかかる仮固定ブロックの取付け，取外し方法は、請求項１に記載のゴム状弾性支承体の仮固定ブロック（１）を、予備剪断変形を与えたゴム状弾性支承体（２）のサイドブロック（４）の側面とゴム状弾性支承体（２）の上部プレート側面（５ａ）との間に介在させ、前記締結手段（１４）を第１ブロック（９）及び第２ブロック（１３）の各テーパ支圧面（６ａ、１０ａ）が互いに圧接する方向に移動させるように回転させて取付け、かつ前記締結手段（１４）を第１ブロック（９）及び第２ブロック（１３）の各テーパ支圧面（６ａ、１０ａ）が互いに離反する方向に移動させるように回転させて取外しを行うことを要旨とするものである。
【０００８】
このように、この発明では仮固定ブロックの取付けは、締結手段を第１ブロック及び第２ブロックの各テーパ支圧面が互いに圧接する方向に移動させるように回転させ、また取外し作業は、締結手段を第１ブロック及び第２ブロックの各テーパ支圧面が互いに離反する方向に移動させるように回転させて仮固定ブロックを取外すことが出来、この結果、仮固定ブロックの取付け，取外し作業を簡単に行うことが出来ると共に、大反力に対しても対応でき、更に簡単な構造で現場作業も容易に行うことが出来る。
【０００９】
【発明の実施の形態】
以下、添付図面に基づき、この発明の実施形態を説明する。
図１は、この発明を実施した仮固定ブロック１の分解斜視図、図２は仮固定ブロック１をゴム状弾性支承体２に組付けた状態の平面図、図３は図２の正面図、図４は図２の側面図を示している。
【００１０】
前記仮固定ブロック１は、ゴム状弾性支承体２にコンクリート構造物の乾燥収縮，クリープ等の変形量に相当する量の予備剪断変形を与えた状態で、ゴム状弾性支承体２の下部プレート３に固定されたサイドブロック４の側面と、この側面に相対向し、かつゴム状弾性支承体２の上部プレート５に形成された凹部の側面５ａとの間に介在させて使用するものである。
【００１１】
この仮固定ブロック１は、テフロン加工したテーパ支圧面６ａ，６ｂを長手方向の両側面に形成したライナーブロック６と、ネジ穴７を前記テーパ支圧面６ａ，６ｂと平行に形成した連結ブロック８とを一体的に形成して成る第１ブロック９と、この第１ブロック９のライナーブロック６のテーパ支圧面６ａ，６ｂと当接するテフロン加工したテーパ支圧面１０ａを備えたライナーブロック１０と、ネジ穴１１を前記テーパ支圧面１０ａ，１０ｂと平行に形成した連結ブロック１２とを一体的に形成して成る第２ブロック１３と、更に前記第１ブロック９及び第２ブロック１３の各テーパ支圧面６ａ，１０ａ及び各連結ブロック８，１２の端面８ａ，１２ａを当接させた状態で、ネジ穴１１を介して着脱可能に締結する締付けボルト等の締結手段１４とで構成されている。
【００１２】
このように構成される仮固定ブロック１のゴム状弾性支承体２への組付けは、まず、第１ブロック９及び第２ブロック１３の各テーパ支圧面６ａ，１０ａ及び各連結ブロック８，１２の端面８ａ，１２ａを当接させた状態で、ネジ穴７，１１に締付けボルト等の締結手段１４を螺嵌させた組付ける。
そして、図３〜図７に示すように、橋桁等の上部構造物１５と橋台や橋脚等の下部支持構造物１６との間に設置されたゴム状弾性支承体２にコンクリートの上部構造物１５の乾燥収縮，クリープ等の変形量に相当する量の予備剪断変形を上部構造物１５の変形方向と逆方向に与えた状態で、前記仮固定ブロック１を、ゴム状弾性支承体２のサイドブロック４の側面とゴム状弾性支承体２の上部プレート５の側面５ａとの間に介在させる。
【００１３】
この時、図６及び図７に示すようなストッパープレート１７及び固定ボルト１８により仮固定ブロック１が落下するのを防止している。
このようにして仮固定ブロック１のゴム状弾性支承体２への組付けが完了した後、前記締結手段１４を第１ブロック９及び第２ブロック１３の各テーパ支圧面６ａ，１０ａの略全面が互いに圧接する方向、即ち、図１において矢印Ｘ方向に移動させるように回転させて仮固定ブロック１を取付けるものである。
【００１４】
また、締結手段１４を第１ブロック９及び第２ブロック１３の各テーパ支圧面６ａ，１０ａが互いに離反する方向、即ち、矢印Ｙ方向に移動させるように回転させることで、仮固定ブロック１をゴム状弾性支承体２から取外すことが出来るものである。
このように、仮固定ブロック１の取付けは、締結手段１４を第１ブロック９及び第２ブロック１３の各テーパ支圧面６ａ，１０ａが互いに圧接する方向に移動させるように回転させ、また取外し作業は、締結手段１４を第１ブロック９及び第２ブロック１３の各テーパ支圧面６ａ，１０ａが互いに離反する方向に移動させるように回転させて仮固定ブロック１を取外すことが出来、この結果、仮固定ブロック１の取付け，取外し作業を簡単に行うことが出来る上に、大反力に対しても対応でき、更に簡単な構造で現場作業も容易に行うことが出来る。
【００１５】
【発明の効果】
この発明は、上記のように複数に分割されて構成される仮固定ブロックを、ゴム状弾性支承体の下部プレートに固定されたサイドブロックの側面と、上部プレートに形成された凹部の側面との間に介在させ、部材の圧縮力で作用力を保持するため、仮固定ブロックの取付け，取外し作業を簡単に行うことが出来ると共に、現場作業も容易に行うことが出来、また従来のボルト等の保持力に比べて大反力に対しても対応でき、更に構成が簡単で加工も複雑でないので安価に製作出来る効果がある。
【図面の簡単な説明】
【図１】この発明を実施した仮固定ブロックの分解斜視図である。
【図２】仮固定ブロックをゴム状弾性支承体に組付けた状態の平面図である。
【図３】図２の正面図である。
【図４】図２の側面図である。
【図５】仮固定ブロックをゴム状弾性支承体に組付けた橋軸直角方向の半断面図である。
【図６】仮固定ブロックをゴム状弾性支承体に組付けた橋軸方向の半断面図である。
【図７】図２のＡ部の拡大平面図である。
【符号の説明】
１  仮固定ブロック                    ２  ゴム状弾性支承体
３  下部プレート                      ４  サイドブロック
５  上部プレート                    ５ａ  側面
６  ライナーブロック          ６ａ，６ｂ  テーパ支圧面
７  ネジ穴                            ８  連結ブロック
９  第１ブロック                    １０  ライナーブロック
１０ａ，１０ｂ  テーパ支圧面          １１  ネジ穴
１２  連結ブロック                    １３  第２ブロック
１４  締結手段                        １５  上部構造物
１６  下部支持構造物                  １７  ストッパープレート
１９  固定ボルト
【図１】
0003907281.tif 000002
【図２】
0003907281.tif 000003
【図３】
0003907281.tif 000004
【図４】
0003907281.tif 000005
【図５】
0003907281.tif 000006
【図６】
0003907281.tif 000007
【図７】
0003907281.tif 000008